【手続補正書】
【提出日】平成24年4月4日(2012.4.4)
【手続補正１】
【補正対象書類名】特許請求の範囲
【補正対象項目名】全文
【補正方法】変更
【補正の内容】
【特許請求の範囲】
【請求項１】
枢軸Oを共有し相対的に回転する「２つのリンクからなる開閉体」と、「１以上のリンクからなる伸縮部」とを備え、「上記伸縮部の両端の連結軸」が上記２つのリンクのそれぞれに接続され、上記リンクのそれぞれを回り対偶または滑り対偶で連結してリンク装置を構成し、上記リンク装置の「何れかの連結軸の周りのリンクの回転」を拘束して、上記リンク装置の運動を停止し、拘束解除して上記リンク装置が運動する解除可能な拘束手段を備えるリンク装置であって、上記解除可能な拘束手段は、回り対偶の連結部において、隣り合うリンクは互いに係合離脱する係合離脱部を備え、或いは摺動面Ｋと上記摺動面Ｋに沿って移動する車輪Bとを備えた滑り対偶の連結部において、隣り合うリンクの片方が備える上記車輪Bと係合離脱する係合離脱部を隣り合うリンクの他方に備え、上記係合離脱部が弾性体であることを特徴とするリンク装置。    
【請求項２】
枢軸Oを共有し相対的に回転する「２つのリンクからなる開閉体」と、「１以上のリンクからなる伸縮部」とを備え、「上記伸縮部の両端の連結軸」が上記２つのリンクのそれぞれに接続され、上記リンクのそれぞれを回り対偶または滑り対偶で連結してリンク装置を構成し、上記リンク装置の「何れかの連結軸の周りのリンクの回転」を拘束しても運動するリンク装置であって、請求項１に記載する係合離脱部を備えるリンク装置。    
【請求項３】
枢軸Oを共有し相対的に回転する「２つのリンクからなる開閉体」と、「１以上のリンクからなる伸縮部」とを備え、「上記伸縮部の両端の連結軸」が上記２つのリンクのそれぞれに接続され、上記リンクのそれぞれを回り対偶または滑り対偶で連結してリンク装置を構成し、上記リンク装置の「何れかの連結軸の周りのリンクの回転」を拘束しても運動するリンク装置であって、上記リンク装置の何れかのリンクに支軸Ibを設けて、上記支軸Ibに車輪Bを装着し、上記車輪Bは上記開閉体の片方のリンクに設ける摺動面Ｋｄと他方のリンクに設ける摺動面Ｋとに同時に沿って移動することを特徴とするリンク装置。    
【請求項４】
上記開閉体の片方のリンクに回転軸Qを設けて、上記回転軸Qの周りに回転自在に軸支される回転体Jは、先端部に設ける連結軸PにリンクＡを連結し、上記リンクＡの先端部に設ける支軸Ｉｂに車輪Bを装着して、上記車輪Bは上記開閉体の他方に設ける摺動面Ｄｋに沿って移動するようにしたリンク装置で、上記車輪Bは開閉体の片方に設ける摺動面Kに沿って移動する請求項３に記載するリンク装置。    
【請求項５】
上記「２つのリンクからなる開閉体」が全閉して上記２つのリンクの軸芯線が重なるとき、上記摺動面Ｋｄ或いは上記摺動面Ｋは、上記「２つのリンクからなる開閉体」が全閉して略重なった上記２つのリンクの軸芯線と略平行である請求項３或いは４に記載するリンク装置。    
【請求項６】
上記開閉体の何れか片方のリンクに支軸Ｉｋｂを設けて、上記支軸Ｉｋｂの周りに回転自在に軸支される回転体Jｋは摺動面Ｋｊを備え、上記回転体Jｋが回転して上記摺動面Ｋｊが上記車輪Bを押圧し、上記摺動面Ｋｊは上記車輪Bに沿って移動する請求項１〜５の何れか１項に記載するリンク装置。    
【請求項７】
枢軸Oを共有し相対的に回転する「２つのリンクからなる開閉体」と、「１以上のリンクからなる伸縮部」とを備え、「上記伸縮部の両端の連結軸」が上記２つのリンクのそれぞれに接続され、上記リンクのそれぞれを回り対偶または滑り対偶で連結してリンク装置を構成し、上記リンク装置の「何れかの連結軸の周りのリンクの回転」を拘束しても運動するリンク装置であって、上記リンク装置の何れかのリンクは摺動面Ｋを備え、上記開閉体の何れか片方のリンクに設ける支軸Ｉｂに車輪Bを装着し、上記摺動面Ｋは上記車輪Bに沿って移動することを特徴とするリンク装置。    
【請求項８】
上記開閉体の片方のリンクに回転軸Qを設けて、上記回転軸Qの周りに回転自在に軸支される回転体Jと、上記開閉体の片方のリンクに設ける支軸Ｉｂに装着した車輪Bと、上記開閉体の他方のリンクに接続軸Cを設けて、上記接続軸Cの周りに回転自在に軸支されるリンクＡと、上記回転体Jと上記リンクＡとを連結するリンクＡＡと、上記リンクＡＡの側面長さ方向に摺動面Ｋを備え、上記車輪Bは開閉体の片方に設ける摺動面Kに沿って移動する請求項７に記載するリンク装置。    
【請求項９】
上記摺動面K或いは上記摺動面Kｄに代わって、上記車輪Bが辛うじて移動できる幅員の溝を備えた請求項１〜８の何れか１項に記載するリンク装置。
【請求項１０】
駆動軸に固着される回転体の先端部に設ける接続軸とドア上部に設ける接続軸とを第１のリンクと第二のリンクの２つのリンクで連結して、上記回転体が回転して上記２つのリンクが上記ドア上部に設ける接続軸を牽引してドアを回転させる装置であって、全開状態から閉まる直前までは上記２つのリンクが一直線を保ち、ドアが閉まる直前で上記回転体とそれに連結するリンクが側面で互いに接触して一体となり、上記２つのリンクの連結点が上記駆動軸を中心に回転して、ドアが閉まるに従いドアに働く力の方向がドアの枢軸を中心とする円運動の半径方向から接線方向に変わることによって、ドアをゆっくりと回転させながら戸当たりに強く押圧することを特徴とするドアで、上記駆動軸と上記ドアの接続軸とを結ぶ直線を境界にして、上記ドアの枢軸を含まない領域内に、上記２つのリンクの連結点がドアが閉まる直前に移動するようにして、上記回転体の回転によってドアが開く方向に回転し、ドアに力が作用しても動かない状態にすることを特徴とするドア。
【請求項１１】
ドア枠に固定した駆動軸に固着される回転体と、該回転体に接続されるリンクと、該リンクの先端部に装着されドアに設けた通路に沿って往復運動する車輪と、該車輪がそれに沿って往復運動するドア枠に固定される通路と、該ドア枠に固定される通路の末端部に固定される壁とを備え、上記回転体と上記リンクがそれらを接続する接続軸において折れ曲がった状態から一直線に近づくようにして上記車輪がドア枠に固定される通路の末端部を通り過ぎたとき、上記壁に当って閉止したドア面に直角の方向に移動するようにして、ドアを戸当たりに強く押圧することを特徴とするドア。
【請求項１２】
ドア枠に取り付けられる駆動軸と、該駆動軸に固着し外縁部が凸面であり外縁部と該駆動軸との距離が場所によって異なるガイドと、上記ガイドの端部に設けられる回転側支軸と、ドア枠に取付けられる固定側支軸と、上記回転側支軸と上記固定側支軸とを両端の支点とするバネとを備え、上記駆動軸と上記回転側支軸との距離は上記回転軸と上記ガイドの外縁との距離より十分に大きく、上記回転側支軸が上記バネを引き伸ばしながら上記駆動軸の周りを公転するとき、上記バネの軸芯線が上記ガイドから離れた位置から次第に近づき、上記回転側支軸が上記駆動軸の周りを更に回転して、上記バネが上記ガイドに巻きつきながら引き伸ばされるようにして、上記駆動軸の周りの回転力を発生させるようにしたバネの機構であって、上記バネの軸芯線が上記ガイドに接触するときの上記駆動軸の周りの回転力に比べて、上記バネの軸芯線が上記ガイドから離れ手上記ガイドが回転するときの上記駆動軸の周りの回転力が大きくなるようにすることを特徴とするバネの機構を備えたドア。
【請求項１３】
ドア枠に取り付けられる駆動軸と、該駆動軸に固着する回転体と、該回転体の上記駆動軸の端部に設けられる回転支軸と、ドア枠に取り付けられ上記駆動軸と反対側に取付けられる固定支軸と、連結軸で連結されるリンクとバネと該リンクの片方の側面に接触する当りと、を備え、上記リンクは片方の端部に上記連結軸とその反対側の端部に接続軸とを備え、上記接続軸が上記回転支軸に回転自在に軸支されるとき、上記リンクの接続軸と上記連結軸との間の距離が上記回転支軸と上記駆動軸との間の距離であるようにし、且つ上記当りを上記回転体に取付けて、或いは上記リンクの連結軸の反対側の接続軸が上記固定支軸に回転自在に軸支されるとき、上記リンクの両端の接続軸の間の距離が上記固定支軸と上記回転軸との間の距離であるようにし、且つ上記当りをドア枠に取付けて、上記回転体が回転するとき、上記回転体の回転の途中までは上記リンクの回転が上記当りによって止められ、上記当りに接触した状態を維持し、上記連結軸を上記回転軸の位置に留めるようにして上記バネが伸縮しないようにして、上記回転体の回転の途中からは上記リンクと上記当たりが離れて、上記連結軸が回転軸の位置から離れるようにして上記バネが伸縮するようにし、上記回転体に回転の途中から作用することを特徴とするバネの機構を備えたドア。
【請求項１４】
前記リンクに車輪が取り付き、前記リンクが前記当たりから離れたあと、該車輪がドア枠に取付けられる摺動面に沿って移動することで、前記連結軸を前記回転軸の位置に留めるようにして前記バネが伸縮しないようにして、或いは前記リンクに摺動面が取り付き、前記リンクが前記当たりから離れたあと、該滑走面が前記プレートに取付けられる車輪に沿って移動することで、前記連結軸を前記回転軸の位置に留めるようにして前記バネが伸縮しないようにして、前記回転体が更に回転し、前記リンクに取り付く車輪がドア枠に取り付く滑走面と離れて、或いは前記リンクに取り付く滑走面がドア枠に取り付く車輪と離れて、上記連結軸が回転軸の位置から離れるようにして上記バネが伸縮するようにし、上記回転体に回転の途中から作用することを特徴とするバネの機構を備えたドア。
【請求項１５】
ドア枠に設けられた駆動軸に固着される回転体と、該回転体に設けた支軸の周りに回転自在に軸支されるアームと、該アームの先端部に装着する車輪と、該車輪がそれに沿って移動するドア枠に設けられた摺動面と、駆動軸を中心に上記回転体を回転させるバネとを備え、
上記アームが上記ドア枠に設けられた摺動面に直立して上記回転体の上記駆動軸を中心とする回転を阻止して上記バネが伸縮しないようにして、上記車輪が上記ドア枠に設けられた摺動面に沿って移動することによって直立していた上記アームが上記回転体に設けた支軸の周りを回転して上記回転体が上記駆動軸を中心として回転して上記バネが上記回転体に作用することを特徴とするバネの機構を備えたドア。
【請求項１６】
ドアに設けた通路に沿って移動しながらドア枠に固定される通路に沿って移動するスライダが、ドアが全開した状態から閉止する直前の範囲において閉止したドア面に平行で長い距離の通路をドアの枢軸からはなれる方向に移動し、ドアが閉止する直前の状態からドアを戸当たりに押圧するまでの範囲において閉止したドア面に直角で短い距離の通路を移動するようにして、ドアを戸当たりに強く押圧するドアにおいて、上記スライダが上記閉止したドア面に直角で短い距離の通路を移動した後、閉止したドア面に平行な通路をドアを回転させることなく移動して停止し、ドアを開くとき、逆戻りすることなく停止した位置から新たに設けられたドア面に直角な通路に沿って移動した後、上記ドア面に平行で長い距離の通路に戻るようにしたドア。